(57)【要約】【課題】画像形成装置において、電源ケーブルの配線方向を変更し、プリント動作時に筐体から突出する記録紙と電源ケーブルとが干渉しないようにする。【解決手段】昇華型熱転写方式の画像形成装置１は、プリント動作時に、筐体１０の背面の一時排紙口１０ｂから記録紙Ｐを部分的に突出させる。画像形成装置１は、筐体１０の背面上方の電源コネクタに、外部の電源に接続された電源ケーブル５０の電源プラグ５２が差し込まれ、電線部５１を介しその電力が供給されて動作する。電源プラグ５２には、その電源コネクタへの差込方向に略直交する方向に突出するケーブルホルダ部５５が一体に形成されている。電線部５１の一部がケーブルホルダ部５５に把持され、電源ケーブル５０の配線方向が背面側から側面側に向くような状態で用いられ、一時排紙口１０ｂから突出する記録紙Ｐが電源ケーブル５０と干渉せず、プリント動作が失敗しにくくなる。【選択図】図１
2008094041.tif 000002
【特許請求の範囲】
【請求項１】
筐体と、
前記筐体に設けられ、記録紙が載置される給紙カセットと、
前記給紙カセットから記録紙を１枚ずつピックアップして前記筐体内部で記録紙を前後方向に往復搬送させる記録紙搬送機構と、
前記搬送方向に略直交する方向に微小発熱体が配列されたサーマルヘッドと、前記サーマルヘッドにより気化されるインクが塗布されたインクリボンとを有しており、前記記録紙搬送機構により搬送される記録紙上にカラー画像をプリントする画像形成手段と、
前記筐体の背面のうち、前記記録紙搬送機構及び前記画像形成手段よりも上方に配置された電源コネクタと、
前記電源コネクタに差し込まれその差込軸周りに回動可能な電源プラグ及び前記電源プラグから延設された電線部を有し、外部電源からの電力を前記筐体内部に供給可能に構成された電源ケーブルとを備え、
前記記録紙搬送機構は、プリント動作時に、前記記録紙を後方に搬送し、前記記録紙の一部分を前記筐体の背面側から突出させた後、再び前記筐体内部に引き込み前方に搬送するように構成された昇華型熱転写方式の画像形成装置において、
前記電源ケーブルは、前記電源プラグから前記差込軸に略直交する方向に突出するケーブルホルダ部をその電源プラグと一体に有しており、
前記ケーブルホルダ部は、前記電源プラグから延設された腕部と、その腕部の先端に設けられ、前記電線部の外径と略同寸法の内径を有し、一部が側方に開放した略Ｃ字状に構成され、前記電線部のうち一部を把持可能に構成された把持部を有しており、
前記電源ケーブルを、前記電線部の前記電源プラグ近傍部位が前記把持部に把持された状態で用いることにより、前記電源ケーブルの配線方向が前記筐体の背面側から側面側に向くようにその電源ケーブルを取り回し可能であり、プリント動作時に前記筐体背面から外部に突出する記録紙と前記電源ケーブルとの接触を防止可能に構成されていることを特徴とする画像形成装置。
【請求項２】
筐体と、
前記筐体に設けられ、記録紙が載置される給紙カセットと、
前記給紙カセットから記録紙を１枚ずつピックアップしてその記録紙を前記筐体の内部で搬送する記録紙搬送機構と、
前記記録紙搬送機構により搬送される記録紙上にカラー画像をプリントする画像形成手段と、
前記筐体から延設された電線部を有し、外部電源からの電力を前記筐体内部に供給可能に構成された電源ケーブルとを備え、
前記記録紙搬送機構は、プリント動作時に、前記記録紙を部分的に前記筐体から突出させるように構成された画像形成装置において、
前記筐体又は前記電源ケーブルに一体に設けられ、前記電線部のうち一部を保持可能に構成されたケーブルホルダ部を有しており、
前記電源ケーブルを、前記電線部のうち一部が前記ケーブルホルダ部に保持された状態で用いることにより、前記電源ケーブルの配線方向が前記筐体のうち前記記録紙が突出される部位から離れる方向となるようにその電源ケーブルを取り回し可能であり、プリント動作時に前記筐体から突出する記録紙と前記電源ケーブルとの接触を防止可能に構成されていることを特徴とする画像形成装置。
【請求項３】
前記筐体には、電源コネクタが配置されており、
前記電源ケーブルは、前記電線部の一端部に設けられ前記電源コネクタに差し込み可能な電源プラグを有しており、
前記ケーブルホルダ部は、前記電源プラグと一体に設けられていることを特徴とする請求項２に記載の画像形成装置。
【発明の詳細な説明】
【技術分野】
【０００１】
本発明は、外部電源から電源ケーブルを介して供給される電力により動作する画像形成装置に関する。
【背景技術】
【０００２】
従来より、筐体に接続された電源ケーブルを介して外部の商用電源等から供給される電力を用いて動作するように構成された画像形成装置が用いられている。そのなかには、例えば家庭等で利用されるような小型なフォトプリンタ等のように、使用しないときは収納しておき、使用時のみ電源ケーブルを商用電源等に接続して、ディジタルカメラやパーソナルコンピュータ等に接続されて用いられるものがある。図５は、例えばこのような画像形成装置の一例を示す。画像形成装置８１は、筐体８１０の前面に取り付けられた給紙カセット８１１に載置された記録紙Ｐを筐体８１０の内部に搬送し、記録紙Ｐにプリントを行う。図の矢印Ｆは、記録紙Ｐの搬送方向を示す。画像形成装置８１は、いわゆる昇華型熱転写方式によりプリント動作を行うものであり、プリント時に、図に示すように、記録紙Ｐが筐体８１０の背面の一時排紙口８１０ｂから部分的に突出するように構成されている。筐体８１０の内部には、記録紙Ｐを搬送する記録紙搬送機構（図示せず）と記録紙Ｐ上に画像を形成する画像形成部（図示せず）が収納されている。そして、筐体８１０の背面上方で、記録紙搬送機構や画像形成部よりも上方の部位には、図に示すように、電源ケーブル６０が接続されている。電源ケーブル６０は、電線部６１と、電線部６１の一端部に接続され、筐体８１０に設けられた電源コネクタ（図示せず）に差し込まれる電源プラグ６２とを有しており、電線部６１を介して外部の商用電源等からの電源を画像形成装置８１本体に供給するように構成されている。
【０００３】
ところで、例えば、上記のような昇華型熱転写方式等の画像形成装置においては、電源ケーブル６０が筐体８１０の背面に接続され、筐体８１０の背面側に配線されている、そのため、電線部６１の取り回しによっては、電線部６１が一時排紙口８１０ｂの背方にある状態となり、筐体８１０から突出される記録紙Ｐが電線部６１に接触し互いに干渉する可能性が高い等といった問題があった。すなわち、記録紙Ｐが電線部６１と干渉してしまうと、プリント動作が失敗し、記録紙Ｐに適正に画像を形成することができない場合がある。これを避けるには、ユーザは、画像形成装置１を使用する毎に、このように記録紙Ｐと電線部６１とが互いに干渉しないように、電源ケーブル６０の取り回しに注意を払う必要があり、使用手順が煩わしくなっていた。ここで、例えば電源ケーブル６０の筐体８１０との接続部が、筐体８１０の下部にあったり、一時排紙口８１０ｂが設けられている部位とは異なる側面等にあれば、電線部６１と記録紙Ｐとの干渉可能性をかなり減少させることはできる。しかしながら、装置の小型化の要請等により、例えば記録紙搬送機構を駆動するモータ等を筐体８１０の下部に配置せざるを得ない場合等には、筐体８１０の内部レイアウト上、電源コネクタの配置可能位置が制限され、電源ケーブル６０の筐体８１０との接続部を、上記のように一時排紙口８１０ｂの近傍に配置せざるを得ず、上記のような問題が生じていた。
【０００４】
ここで、例えば、特許文献１には、装置背部に針金状のケーブル押さえを設け、コネクタ端子に接続されたケーブルと印刷用紙とが干渉しないように構成された電子機器が示されている。特許文献２には、剛体の抜け防止爪を有しており、固定物の角孔へ挿入後回転させることにより固定物に固定されるケーブルホルダの構造が示されている。そして、特許文献３には、アームの先端部に設けられた爪部を本体側の係止部に引っ掛けることにより、アームがケーブルを保持したまま保持されるように構成されたケーブルホルダが示されている。しかしながら、特許文献１に示されているようなケーブル押さえを用いてケーブルが垂れ下がらないように案内したり、特許文献２又は特許文献３に示されているようなケーブルホルダを別途用いてケーブルを固定したりする場合、部品点数が多くなるので、画像形成装置が高コスト化してしまうおそれがある。一方、特許文献４には、複数のアーム部材が連結された案内保持具により引き出し用ケーブルを保持させ、ケーブルの断線を防止する構造が示されており、特許文献５には、装置背面に配した吊り下げ部材を用いて、印字装置をパーティション等に吊り下げた状態で配置する構造が示されている。しかしながら、これらの特許文献４や特許文献５には、上記のような小型の画像形成装置において、電源ケーブルと記録紙との干渉を防止するために適用可能な構成は示されていない。
【特許文献１】特開平１１‐１９４８５５号公報
【特許文献２】特開２０００‐２２４７４１号公報
【特許文献３】特開平７‐２９７５７０号公報
【特許文献４】特開２００４‐１６６３４５号公報
【特許文献５】特開２００２‐３２１４２５号公報
【発明の開示】
【発明が解決しようとする課題】
【０００５】
本発明は、上記問題点を鑑みてなされたものであり、電源ケーブルの配線方向を変更可能であり、プリント動作時に筐体から突出する記録紙と電源ケーブルとが干渉しないように構成された画像形成装置を提供することを目的とする。
【課題を解決するための手段】
【０００６】
上記目的を達成するため、請求項１の発明は、筐体と、前記筐体に設けられ、記録紙が載置される給紙カセットと、前記給紙カセットから記録紙を１枚ずつピックアップして前記筐体内部で記録紙を前後方向に往復搬送させる記録紙搬送機構と、前記搬送方向に略直交する方向に微小発熱体が配列されたサーマルヘッドと、前記サーマルヘッドにより気化されるインクが塗布されたインクリボンとを有しており、前記記録紙搬送機構により搬送される記録紙上にカラー画像をプリントする画像形成手段と、前記筐体の背面のうち、前記記録紙搬送機構及び前記画像形成手段よりも上方に配置された電源コネクタと、前記電源コネクタに差し込まれその差込軸周りに回動可能な電源プラグ及び前記電源プラグから延設された電線部を有し、外部電源からの電力を前記筐体内部に供給可能に構成された電源ケーブルとを備え、前記記録紙搬送機構は、プリント動作時に、前記記録紙を後方に搬送し、前記記録紙の一部分を前記筐体の背面側から突出させた後、再び前記筐体内部に引き込み前方に搬送するように構成された昇華型熱転写方式の画像形成装置において、前記電源ケーブルは、前記電源プラグから前記差込軸に略直交する方向に突出するケーブルホルダ部をその電源プラグと一体に有しており、前記ケーブルホルダ部は、前記電源プラグから延設された腕部と、その腕部の先端に設けられ、前記電線部の外径と略同寸法の内径を有し、一部が側方に開放した略Ｃ字状に構成され、前記電線部のうち一部を把持可能に構成された把持部を有しており、前記電源ケーブルを、前記電線部の前記電源プラグ近傍部位が前記把持部に把持された状態で用いることにより、前記電源ケーブルの配線方向が前記筐体の背面側から側面側に向くようにその電源ケーブルを取り回し可能であり、プリント動作時に前記筐体背面から外部に突出する記録紙と前記電源ケーブルとの接触を防止可能に構成されているものである。
【０００７】
請求項２の発明は、筐体と、前記筐体に設けられ、記録紙が載置される給紙カセットと、前記給紙カセットから記録紙を１枚ずつピックアップしてその記録紙を前記筐体の内部で搬送する記録紙搬送機構と、前記記録紙搬送機構により搬送される記録紙上にカラー画像をプリントする画像形成手段と、前記筐体から延設された電線部を有し、外部電源からの電力を前記筐体内部に供給可能に構成された電源ケーブルとを備え、前記記録紙搬送機構は、プリント動作時に、前記記録紙を部分的に前記筐体から突出させるように構成された画像形成装置において、前記筐体又は前記電源ケーブルに一体に設けられ、前記電線部のうち一部を保持可能に構成されたケーブルホルダ部を有しており、前記電源ケーブルを、前記電線部のうち一部が前記ケーブルホルダ部に保持された状態で用いることにより、前記電源ケーブルの配線方向が前記筐体のうち前記記録紙が突出される部位から離れる方向となるようにその電源ケーブルを取り回し可能であり、プリント動作時に前記筐体から突出する記録紙と前記電源ケーブルとの接触を防止可能に構成されているものである。
【０００８】
請求項３の発明は、請求項２の発明において、前記筐体には、電源コネクタが配置されており、前記電源ケーブルは、前記電線部の一端部に設けられ前記電源コネクタに差し込み可能な電源プラグを有しており、前記ケーブルホルダ部は、前記電源プラグと一体に設けられているものである。
【発明の効果】
【０００９】
請求項１の発明によれば、電線部の電源プラグ近傍部位を、ケーブルホルダ部の把持部に把持させ、電源ケーブルの配線方向が筐体の背面側から側面側に向くようにその電源ケーブルを取り回し可能であるので、プリント動作時に筐体背面から外部に突出する記録紙と電源ケーブルとの接触を防止することができる。従って、電源ケーブルの取り回しに注意を払わなくても、記録紙が電線部と干渉しにくく、プリント動作が失敗しにくくなる。ケーブルホルダ部は、電源プラグと一体に構成されているので、ケーブルホルダ部を設けても部品点数が増加することがなく、製造コストの増加を抑えることができる。また、ケーブルホルダ部は電源ケーブル側に設けられており、筐体側に突起形状等を設けなくてもよいので、画像形成装置の外観デザインをより良好にすることができる。
【００１０】
請求項２の発明によれば、電線部のうち一部をケーブルホルダ部に保持させ、電源ケーブルの配線方向が筐体のうち記録紙が突出される部位から離れる方向となるようにその電源ケーブルを取り回し可能であるので、プリント動作時に筐体から突出する記録紙と電源ケーブルとの接触を防止することができる。従って、電源ケーブルの取り回しに注意を払わなくてもプリント動作が失敗しにくくなる。ケーブルホルダ部は、筐体又は電源ケーブルと一体に構成されているので、ケーブルホルダ部を設けても部品点数が増加することがなく、製造コストの増加を抑えることができる。
【００１１】
請求項３の発明によれば、ケーブルホルダ部は、電源ケーブルのうち電源プラグと一体に設けられているので、ケーブルホルダ部を設けても部品点数が増加せず、低コストでケーブルホルダ部を設けることができ、製造コストの増加を抑えることができる。また、ケーブルホルダ部は電源ケーブル側に設けられており、筐体側に突起形状等を設けなくてもよいので、画像形成装置の外観デザインをより良好にすることができる。
【発明を実施するための最良の形態】
【００１２】
以下、本発明の一実施形態について図面を参照しつつ説明する。図１及び図２は、本実施形態に係る画像形成装置の記録紙の一例を示す。画像形成装置１は、例えば、いわゆる昇華型熱転写方式により記録紙Ｐに画像をプリントするように構成されている。画像形成装置１は、前面、背面にそれぞれ給排紙口１０ａ、一時排紙口１０ｂを有する筐体１０と、給排紙口１０ａに装着され、記録紙Ｐが載置される給紙カセット１１と、給紙カセット１１から記録紙Ｐを１枚ずつピックアップし、筐体１０の内部に引き込むピックアップローラ２１及び筐体１０の内部で記録紙Ｐを所定の搬送方向Ｆに往復搬送させるフィードローラ２２，２３等を備えた記録紙搬送機構２０と、記録紙搬送機構２０に対向する所定の位置に設けられ、搬送方向Ｆに直交する方向に微小発熱体が配列されたサーマルヘッド３１やインクリボンロール３２が装着される第１リール３３、インクリボン３５の使用済み部分が巻き取られる第２リール３４等を含み、記録紙搬送機構２０により搬送される記録紙Ｐ上に画像をプリントする画像形成部（画像形成手段）３０と、ＣＰＵやメモリ等が搭載され、画像形成装置１各部の動作を制御する制御回路部４０と、制御回路部４０に外部から電力を供給するための電源ケーブル５０等で構成されている。給紙カセット１１の上面には、画像形成部３０により画像が形成され記録紙搬送機構２０により筐体１０から排出された記録紙Ｐが載置される排紙トレイ１２が配置されている。この画像形成装置１では、記録紙搬送機構２０や画像形成部３０は筐体１０の下方に配置されており、その上方に、制御回路部４０が配置されている。
【００１３】
記録紙搬送機構２０のピックアップローラ２１及びフィードローラ２２，２３は、それぞれ記録紙Ｐの搬送方向Ｆに直交する方向を回転軸として回転し、記録紙Ｐに当接して記録紙Ｐを搬送方向に搬送する。この画像形成装置１においては、給紙カセット１１の下部の筐体１０側には、上下に回動するリフトパネル１１ａが配置されており、ピックアップローラ２１は、このリフトパネル１１ａが上がることによりピックアップローラ２１に当接した記録紙Ｐを、給紙カセット１１から筐体１０内部に給紙する。フィードローラ２２，２３は、画像形成部３０により記録紙Ｐ上に画像をプリントしている間、筐体１０の内部で、記録紙Ｐを搬送方向に複数回往復搬送させる。記録紙搬送機構２０は、サーマルヘッド３１に対向する位置において、画像がプリントされている記録紙Ｐの背面を支持するプラテンローラ２５と、フィードローラ２２，２３の回転軸にとりつけられた被駆動歯車（図示せず）と、駆動力を発生させるモータ（図示せず）と、モータの駆動力を被駆動歯車に伝達するための駆動歯車（図示せず）と、フィードローラ２２，２３に対向する位置に設けられ、記録紙Ｐをフィードローラ２２，２３に押圧するプレスローラ２７，２８と、ピックアップローラ２１の上方に配置され、記録紙Ｐを排紙トレイ１２上に排出する排紙ローラ２９等を有している。
【００１４】
画像形成部３０のサーマルヘッド３１は上下動可能であり、画像形成部３０により筐体１０の前方に搬送されている記録紙Ｐ上に画像をプリントしているときは、インクリボン３５を挟んで記録紙Ｐに略密着するように下降する。一方、記録紙Ｐを筐体１０の後方に搬送するときには、サーマルヘッド３１は記録紙Ｐの動きを妨げないように所定位置まで上昇する。第１リール３３及び第２リール３４は、図の矢印Ｒで示す方向に回動する。インクリボン３５は、上記サーマルヘッド３１の微小発熱体の配列長さに対応した幅のリボン上に、例えば三原色（Ｙ、Ｍ、Ｃ）の３種類のインク及びオーバコート用のコーティング剤が、順番に、記録紙Ｐのサイズに対応した矩形状に塗布されて構成されている。インクリボン３５は、所定のマージンを見込み、インクリボン３５上の矩形領域のサイズの方が記録紙Ｐのプリント領域のサイズよりも若干大きくなるように設定されている。なお、インクリボン３５上のインクの色数は上記３色に限定されず、ブラック（Ｂ）を加えた４色、あるいはさらに中間色を加えた５色以上であってもよいし、また、ブラックのみの１色であってもよい。
【００１５】
制御回路部４０には、例えばＵＳＢ（Universal Serial Bus）等の規格の接続コネクタ４５や、電源コネクタ４６等が搭載されている。接続コネクタ４５は、図１に示すように、筐体１０の側面に露出するように配置されており、画像形成装置１は、例えば外部のパーソナルコンピュータやディジタルスチルカメラ等とＵＳＢケーブル等の通信ケーブルを介して接続され、これらの外部機器から送信される画像データ等に基づいてプリント動作を行うように構成されている。なお、接続コネクタ４５は、例えば、外部から画像データが記録されたメモリカード等を挿入可能なメモリスロット等を有していてもよい。電源コネクタ４６は、筐体１０の背面に露出するように配置されており、図２に示すように、外部から電源ケーブル５０が接続可能に配置されている。
【００１６】
図３は、電源ケーブル５０の先端部近傍を示す。電源ケーブル５０は、電線部５１と、電線部５１の一端側に形成された筐体１０側の電源コネクタ４６に差込可能な電源プラグ５２と、電源プラグ５２と一体に成型されたケーブルホルダ部５５と、電線部５１の他端側に形成され、例えば外部の商用交流電源に接続されるＡＣアダプタ部（電源部；図示せず）等を有している。電源ケーブル５０は、ＡＣアダプタ部により交流から直流に変換された商用電源を、電線部５１、電源プラグ５２を介し、電源コネクタ４６から筐体１０の内部の制御回路部４０に供給する。そして、この画像形成装置１は、供給された直流の電力により動作可能に構成されている。
【００１７】
電線部５１は断面が略円形であり、樹脂製の絶縁皮膜で覆われ可撓性を有しており、屈曲自在に構成されている。電源プラグ５２は、先端部に電源コネクタ４６の内部の端子と通電可能に接触する端子部５２ａを有しており、図に矢印で示す差込軸Ｘ方向に電源コネクタ４６に差し込まれる。本実施形態において、端子部５２ａは差込軸Ｘ周りに略円筒面をなすように構成されており、電源プラグ５２は、電源コネクタ４６に差し込まれ通電可能な状態で、差込軸Ｘ周りに回動可能になるように構成されている。ケーブルホルダ部５５は、電源プラグ５２から差込軸Ｘに略直交する方向に突出するように形成されており、電源プラグ５２から延設された腕部５５ａと、その腕部５５ａの先端に設けられた把持部５５ｂとを有している。電源プラグ５２本体の外部に露出する部位及びケーブルホルダ部５５は、例えば、弾性と絶縁性を有する樹脂等が一体成型されて構成されている。
【００１８】
把持部５５ｂは、図に示すように、一部が側方に開放した略Ｃ字状に構成されている。把持部５５ｂの略Ｃ字状の内径は、電線部５１の外径と略同寸法になるように構成されている。本実施形態においては、図に矢印Ａで示すように、この把持部５５ｂの側方の開放した部位から、把持部５５ｂを若干変形させながら電線部５１を嵌め込むことにより、図に２点差線で示すように、電線部５１を把持部に把持させ、ケーブルホルダ部５５に電線部５１を保持させておくことができるように構成されている。この画像形成装置１では、電源ケーブル５０を筐体１０に接続する際、図１に示すように、電線部５１の電源プラグ５２から延設された部位を屈曲させて電源プラグ５２近傍部位を把持部５５ｂに把持させ、且つ、電源プラグ５２をケーブルホルダ部５５の突出方向が筐体１０の側方になるように筐体１０に対して回動させた状態とされる。画像形成装置１は、このように、電源ケーブル５０を、電源ケーブル５０の配線方向が筐体１０の背面側から側面側に向くように取り回した状態で用いられる。
【００１９】
以下に、この画像形成装置１のプリント動作について説明する。筐体１０内部に給紙された記録紙Ｐ上に画像をプリントする場合には、先ず、図１に示すように、記録紙Ｐを、その記録紙Ｐの一部分が一時排紙口１０ｂから外部に突出する一時排紙状態になるまで、搬送方向Ｆにおける所定の基準位置まで搬送する。これにより、記録紙Ｐの画像がプリントされるプリント部１１０の先端と、インクリボン３５上に塗布された矩形状の各領域の位置とが記録紙Ｐの搬送方向に合うように、記録紙Ｐが位置決めされる。そして、両者を同じ速度で同じ方向に搬送させながら、画像データを用いてサーマルヘッド３１の各発熱体の発熱／非発熱を制御し、インクリボン３５上のインクを記録紙Ｐ上に転写する。そして、記録紙Ｐを筐体１０前面側に搬送して当該色の画像を記録紙Ｐ上に形成すると、インクリボン３５はそのままの位置で停止させたまま、記録紙搬送機構２０を逆方向に駆動して、記録紙Ｐの位置を上記基準位置に合わせ、一時排紙状態にする。そして、同様の手順で次の色の画像又はオーバコートを記録紙Ｐ上に形成する。本実施形態において、記録紙Ｐを給紙して上記基準位置に搬送させた後、例えばイエロー（Ｙ）、マゼンタ（Ｍ）、シアン（Ｃ）の順に記録紙Ｐを３往復させながら画像をプリントし、最後に記録紙Ｐを筐体１０の前方に搬送させながら記録紙Ｐの表面全体にオーバコートを施し、記録紙Ｐを排紙ローラ２９により排紙トレイ１２上に排出し、プリントが完了する。
【００２０】
このとき、ケーブルホルダ部５５に電線部５１が把持され、電源ケーブル５０の配線方向が筐体１０の背面側から側面側に向くように電源ケーブル５０が取り回されているので、上記のように筐体１０背面から外部に突出する記録紙Ｐと電源ケーブル５０とが接触しない。このように、本実施形態においては、電源ケーブル５０の取り回しに別段の注意を払わなくても、記録紙Ｐの電線部５１との干渉が防止され、プリント動作が失敗しにくくなるように構成されている。そして、ケーブルホルダ部５５は、電源プラグ５２と一体に構成されているので、ケーブルホルダ部５５を設けても電源ケーブル５０の部品点数が増加することがなく、製造コストの増加が抑えられる。また、ケーブルホルダ部５５は電源ケーブル５０側に設けられており、筐体１０側に突起形状等を設けなくてもよいので、画像形成装置１の外観デザインをより良好にすることができる。
【００２１】
ここで、ケーブルホルダ部は、例えば筐体側に設けられていてもよい。図４は、このような、本実施形態の一変形例に係る画像形成装置を示す。画像形成装置７１は、その筐体７０の側面に、ケーブルホルダ部７５を筐体７０と一体に備えており、電源ケーブルにはケーブルホルダ部が設けられていない点で上記の画像形成装置１と異なっている。すなわち、この画像形成装置７１は、従来と同様の電源ケーブル６０の電源プラグ６２を電源コネクタ４６に接続し、電線部６１の一部を上述と同様にケーブルホルダ部７５に保持させて用いられる。これにより、電源ケーブル６０の配線方向が筐体７０の背面側から側面側に向くように電源ケーブル６０が取り回されるので、上述と同様に、プリント動作時に電線部６１と記録紙Ｐとが干渉することがなく、プリント動作が失敗しにくくなる。また、ケーブルホルダ部７５は筐体７０と一体に形成されているので、製造コストの増加が抑えられる。
【００２２】
なお、本発明は上記実施形態の構成に限定されるものではなく、発明の趣旨を変更しない範囲で適宜に種々の変形が可能である。例えば、電源ケーブルは、外部の交流電源から、電力を交流のまま筐体の内部に供給するように構成されており、画像形成装置は、制御回路部に設けた電源回路により供給された電力を直流に変換し、その直流の電力により動作するように構成されていてもよい。また、この記録紙Ｐが用いられるプリンタの一例として、昇華型熱転写方式の画像形成装置１について説明したが、本発明は、サーマルヘッドを用いて画像をプリントする他のタイプのプリンタ、例えば、ＴＡ（Thermo Autochrome）方式のプリンタや、又はインクジェット方式のプリンタ等に用いられる記録紙にも、広く適用することができる。
【図面の簡単な説明】
【００２３】
【図１】本発明の一実施形態に係る画像形成装置を示す斜視図。
【図２】上記装置を示す斜視図。
【図３】上記装置の電源ケーブルを示す斜視図。
【図４】上記実施形態の一変形例に係る画像形成装置を示す斜視図。
【図５】従来の画像形成装置を示す斜視図。
【符号の説明】
【００２４】
１，７１  プリンタ
１０，７０  筐体
１１  給紙カセット
２０  記録紙搬送機構
３０  画像形成部（画像形成手段）
３１  サーマルヘッド
３５  インクリボン
４６  電源コネクタ
５０，６０  電源ケーブル
５１，６１  電線部
５２，６２  電源プラグ
５５，７５  ケーブルホルダ部
５５ａ  腕部
５５ｂ  把持部
Ｐ  記録紙
Ｘ  差込軸
【図１】
2008094041.tif 000003
【図２】
2008094041.tif 000004
【図３】
2008094041.tif 000005
【図４】
2008094041.tif 000006
【図５】
2008094041.tif 000007